(57)【要約】【課題】  シール材等を用いることなく、内部に収容される電子回路基板に水がかかりにくい簡便な構造を提供する。【解決手段】  第１部品１０と第２部品２０が組み合わさることで閉塞空間を構成し、該閉塞空間に電子回路基板６０を収容する電子装置１００において、電子回路基板に設けられた接続端子６１を閉塞空間の外へ突出させるハウジング３０と、ハウジングを嵌合させるコネクタ用開口部４０と、を備え、第１部品が第２部品より上下方向の下側になるように設置される電子装置であって、電子回路基板は、コネクタ用開口部の上縁４１が第１部品と第２部品が組み合わされる継ぎ目５０より上下方向の上側である場合には上縁より上下方向の上側に配置され、上縁が継ぎ目より上下方向の下側である場合には継ぎ目より上下方向の上側に配置される電子装置。【選択図】  図３
2018152531.tif 000002
【特許請求の範囲】
【請求項１】
第１部品と第２部品が組み合わさることで閉塞空間を構成し、該閉塞空間に電子回路基板を収容する電子装置において、
前記電子回路基板に設けられた接続端子を前記閉塞空間の外へ突出させるハウジングと、
前記ハウジングを嵌合させるコネクタ用開口部と、
を備え、前記第１部品が前記第２部品より上下方向の下側になるように設置される電子装置であって、
前記電子回路基板は、前記コネクタ用開口部の上縁が前記第１部品と前記第２部品が組み合わされる継ぎ目より上下方向の上側である場合には前記上縁より上下方向の上側に配置され、前記上縁が前記継ぎ目より上下方向の下側である場合には前記継ぎ目より上下方向の上側に配置される、
電子装置。
【請求項２】
前記第１部品は、第１開口部を有するケースであり、
前記第２部品は、第２開口部を有し、前記第１開口部を前記第２開口部で閉塞するカバーであり、
前記コネクタ用開口部は、前記ケースと前記カバーが接触しない部分に設けられることを特徴とする請求項１に記載の電子装置。
【請求項３】
前記ハウジングは、溝を有し、
少なくとも前記カバーの端部は、前記溝に嵌まることを特徴とする請求項２に記載の電子装置。
【請求項４】
前記ハウジングは、前記溝の外側に鍔を有することを特徴とする請求項３に記載の電子装置。
【発明の詳細な説明】
【技術分野】
【０００１】
本発明は、電子装置に関し、特に、ケースとカバーから構成される筐体の内部に電子回路基板を収容する電子装置に関する。
【背景技術】
【０００２】
従来から、車両のエンジンルーム内など水を被る場所に設置し、ケースとカバーから構成される筐体の内部に電子回路基板を収容する電子装置において、電子回路基板を水から保護するための技術が知られている。例えば、特許文献１は、コネクタの組み付け位置の精度を高めなくても、コネクタの両側の側面部とケース本体のコネクタ用開口部の両側の内側面部との間に隙間を確実に確保する電子制御機器のケースを開示する。このケースは、プリント配線基板を収容するケース本体と、このケース本体の開口部を閉塞するカバーと、上記開口部に連通すると共にプリント配線基板のコネクタが嵌合するようにケース本体の側壁部に設けられたコネクタ用開口部を備える。本ケースは、ケース本体の開口縁部とカバーの周縁部との間、コネクタの上面部とカバーの周縁部との間、並びに、コネクタ用開口部の内面部とコネクタの外面部との間をシールする液状シール材を備え、コネクタ用開口部の両側の内側面部に設けられた突条部を備えて成るものである。
【０００３】
また、特許文献２は、電子装置の内部への液体の浸入を防止する電子装置を開示する。この電子装置は、電子部品が実装された基板と、基板に固定されて正面側において相手コネクタと接続するコネクタとを備えている。また、この電子装置は、基板を覆い正面側に開口した開口部を有するケースを備え、ケースの上面は開口部の近傍においてコネクタの上面と近接する。コネクタの上面は、正面側に直交しつつ略水平方向に延びる防滴溝を備え、ケースの上面は、防滴溝と略同一方向に延びて防滴溝と嵌合する板状の防滴リブを備えている。防滴リブは、ケースの上面とコネクタの上面との相互間に浸入した液体を堰き止め、防滴リブと防滴溝の壁面との間隙が、防滴リブが堰き止めた液体を流すための第１通路として機能する。
【先行技術文献】
【特許文献】
【０００４】
【特許文献１】特開２００１−０８５８５８号公報
【特許文献２】特開２０１６−１１０８１０号公報
【発明の概要】
【発明が解決しようとする課題】
【０００５】
しかし、シール材を用いたり複雑な構造にすると、その材料費や加工費が余分にかかるためコストが増大する。また、車室内のインスツルメンツパネル内に設置される電子制御機器には、基本的には水はかからないが、まれに水をかけて車室内を洗うことがある。このような場合には、インスツルメンツパネルのすき間を通して電子制御機器に水がかかる場合がある。シール材を用いるほどではないものの、内部の電子回路基板には水がかからないようにする必要がある。
そこで、本発明は、シール材等を用いることなく、内部に収容される電子回路基板に水がかかりにくい簡便な構造を有する電子装置を提供する。
【課題を解決するための手段】
【０００６】
上記課題を解決するために、第１部品と第２部品が組み合わさることで閉塞空間を構成し、この閉塞空間に電子回路基板を収容する電子装置において、電子回路基板に設けられた接続端子を閉塞空間の外へ突出させるハウジングと、ハウジングを嵌合させるコネクタ用開口部と、を備え、第１部品が第２部品より上下方向の下側になるように設置される電子装置であって、電子回路基板は、コネクタ用開口部の上縁が第１部品と第２部品が組み合わされる継ぎ目より上下方向の上側である場合には上縁より上下方向の上側に配置され、上縁が継ぎ目より上下方向の下側である場合には継ぎ目より上下方向の上側に配置される電子装置が提供される。
これによれば、電子回路基板が、電子装置の筐体の内部において、筐体の継ぎ目やコネクタ用開口部の上縁の位置より高い位置に配置されて収容されることで、シール材等を用いることなく、内部に収容される電子回路基板に水がかかりにくい簡便な構造を有する電子装置を提供することができる。
【０００７】
さらに、第１部品は、第１開口部を有するケースであり、第２部品は、第２開口部を有し、第１開口部を第２開口部で閉塞するカバーであり、コネクタ用開口部は、ケースとカバーが接触しない部分に設けられることを特徴としてもよい。
これによれば、コネクタ用開口部がケースとカバーが接触しない部分に設けられる、すなわち、ハウジングがケースとカバーの間に挟まれることで、容易に組み立てても電子回路基板に水がかかりにくい構造を実現できる。
【０００８】
さらに、ハウジングは、溝を有し、少なくともカバーの端部は、溝に嵌まることを特徴としてもよい。
これによれば、水がより筐体の内部に侵入しにくくなる。
【０００９】
さらに、ハウジングは、溝の外側に鍔を有することを特徴としてもよい。
これによれば、散水を受けても水が筐体の内部に侵入しにくくなる。
【発明の効果】
【００１０】
本発明によれば、シール材等を用いることなく、内部に収容される電子回路基板に水がかかりにくい簡便な構造を有する電子装置を提供することができる。
【図面の簡単な説明】
【００１１】
【図１】本発明に係る第一実施例の電子装置の展開斜視図。
【図２】本発明に係る第一実施例の電子装置の、（Ａ）斜視図、（Ｂ）正面図。
【図３】本発明に係る第一実施例の電子装置の、（Ａ）平面図、（Ｂ）Ａ−Ａ断面における断面図。
【図４】本発明に係る第一実施例の電子装置において水の流れを説明する説明図。
【図５】本発明に係る第二実施例の電子装置の正面模式図。
【図６】本発明に係る第二実施例の電子装置の部分拡大斜視図。
【図７】本発明に係る第二実施例の電子装置の部分拡大断面図。
【図８】本発明に係る第二実施例の電子装置において水の流れを説明する説明図。
【図９】本発明に係る第三実施例の電子装置において水の流れを説明する説明図。
【発明を実施するための形態】
【００１２】
以下では、図面を参照し、各実施例について説明する。
＜第一実施例＞
図１乃至図４を参照し、本実施例における電子装置１００を説明する。電子装置１００は、車両に搭載される電装品の電子回路を内部に収容する。電子装置１００は、エンジンルームのように激しく水がかかる可能性のある場所というより、車室内のインスツルメンツパネル内に設置される電子回路や、結露により水が滴下する可能性のある場所に設置される電子回路、また乗員が飲料物等を置く場所の近傍に配置される電子回路のように、液体が接触する可能性のある場所に設置される。
【００１３】
電子装置１００は、第１開口部１１を有するケース１０（第１部品）と、第１開口部１１を閉塞するカバー２０（第２部品）とを備え、ケース１０とカバー２０が組み合わされることで筐体を形成すると共に内部に閉塞空間を構成し、この閉塞空間に電子回路基板６０を収容する。本実施例の電子装置１００では、ケース１０がカバー２０より上下方向の下側になるように設置される。したがって、車両内のほぼ水平な取り付け面の上に置かれて車両に設けられる場合はケース１０に取付用部材が備えられ、当該取り付け面の下に付けられて車両に設けられる場合はカバー２０に取付用部材が備えられる。
【００１４】
ケース１０は、外形は略直方体の形状をなし、一面に第１開口部１１を有しており、内部に空間を有する。カバー２０は、外形は略直方体の形状をなし、一面に第２開口部２１を有しており、内部に空間を有する。電子装置１００は、ケース１０の第１開口部１１とカバー２０の第２開口部２１が合わさり、ケース１０の端部１２とカバー２０の端部２２が接合することで１つの閉塞空間を構成する。ケース１０の端部１２とカバー２０の端部２２が接合する部分は、ケース１０とカバー２０の継ぎ目５０である。
【００１５】
電子装置１００は、さらに電子回路基板６０に設けられた接続端子６１を閉塞空間の外へ突出させるハウジング３０と、ハウジング３０を嵌合させるコネクタ用開口部４０とを備える。接続端子６１は、複数の接続端子を有しており、電子回路基板６０と外部の制御装置等と電気的に接続する。ハウジング３０は、接続端子６１を保護すると共に、外部との接続端子との接続を案内するものである。接続端子６１とハウジング３０を合わせてコネクタを形成する。コネクタ用開口部４０は、ケース１０の第１開口部１１と垂直な第１面、およびカバー２０の第２開口部２１と垂直な面であって第１面と同じ側にある第２面に設けられる。すなわち、コネクタ用開口部４０は、電子装置１００の側面となる正面側に設けられる。
【００１６】
図３（Ｂ）が示すように、接続端子６１は、電子回路基板６０の下面から出てコネクタ用開口部４０の方へ延設されてハウジング３０の内部に収められ、コネクタは、電子回路基板６０の上下方向の下側になるように配置される。したがって、正面側のカバー２０の端部２２がハウジング３０と接触する部分、すなわちコネクタ用開口部４０の上縁４１は、電子回路基板６０の下側に配置される。また、上縁４１は、ケース１０およびカバー２０が組み合わされる継ぎ目５０より上下方向の上側に位置する。ケース１０およびカバー２０が組み合わされることにより形成される閉塞空間に収容される電子回路基板６０は、継ぎ目５０より上下方向の上側であってかつコネクタ用開口部４０の上縁４１より上下方向の上側に配置される。
【００１７】
コネクタ用開口部４０は、ケース１０およびカバー２０の切り欠いた部分に設けられ、ケース１０の端部１２とカバー２０の端部２２が接触しない部分である。ケース１０の端部１２とカバー２０の端部２２が両方とも切り欠かれたことで、コネクタ用開口部４０が形成されている。コネクタ用開口部４０は、これに限定されず、ケース１０の端部１２とカバー２０の端部２２の一方のみが切り欠かれてもよいし、両方とも切り欠かれずに、ケース１０またはカバー２０の側面（第１面または第２面）に接続端子が突出する開口部を設けてもよい。
【００１８】
カバー２０の端部２２がハウジング３０と接触する部分、すなわちコネクタ用開口部４０の上縁４１は、ケース１０およびカバー２０が組み合わされる継ぎ目５０より上下方向の上側に位置する。ケース１０およびカバー２０が組み合わされることにより形成される閉塞空間に収容される電子回路基板６０は、コネクタ用開口部４０の上縁４１より上下方向の上側に配置される。
【００１９】
ハウジング３０は、接続端子６１を内部に通す角筒状の筒状部３３を有する。筒状部３３は、筒状部３３の上面となる上縁４１と接する部分に溝３１を有し、溝３１に上縁４１が嵌り込むことで、筒状部３３が奥行方向にズレないようになると共に、水の侵入をしにくくする。また、筒状部３３は、筒状部３３の側面であり、ケース１０およびカバー２０に近接した部分に鍔３２を有し、ケース１０およびカバー２０の外面に近接する位置に存する。鍔３２は、水が正面側からかかった場合にも溝３１と同様に水の侵入をしにくくする。
【００２０】
図４に示すように、電子装置１００に正面側から水がかかった場合には、矢印が示すように水が流れる。ハウジング３０は、筒状部３３の内部に接続端子６１を有し、コネクタ用開口部４０に筒状部３３を嵌合させている。カバー２０の端部２２は、コネクタ用開口部４０の上縁４１を構成し、筒状部３３に形成された溝３１に接触している。電子回路基板６０は、ケース１０に取り付けられているが、コネクタ用開口部４０の上縁４１よりも上下方向の上側に配置される。
【００２１】
水がケース１０およびカバー２０が組み合わされることで構成される閉塞空間に侵入する可能性があるのは、コネクタ用開口部４０または継ぎ目５０である。本実施例の場合、コネクタ用開口部４０の上縁４１は、ケース１０およびカバー２０が組み合わされる継ぎ目５０より上下方向の上側に位置しているので、水が浸入する最も上側の位置は、コネクタ用開口部４０の上縁４１である。電子回路基板６０は、この上縁４１よりもさらに上側に位置するように配置されている。したがって、仮に図４の黒矢印に示すように水が上縁４１から侵入しても、侵入した水はそれより低い位置に向かって流れるので、電子回路基板６０が水に触れることはない。
【００２２】
このように、電子回路基板６０が、電子装置１００の筐体の内部において、筐体の継ぎ目５０およびコネクタ用開口部４０の上縁４１の位置より高い位置に配置されて収容されることで、シール材等を用いることなく、内部に収容される電子回路基板６０に水がかかりにくい簡便な構造を有する電子装置１００を提供することができる。
【００２３】
また、カバー２０の端部２２が溝３１に嵌ることで、水が閉塞空間内に侵入しにくくすることができ、水が筐体の内部に侵入しにくくなる。また、鍔３２が、ケース１０およびカバー２０の外側に配置されているので、白矢印のように勢いよく水が水平方向からかけられたとしても、筒状部３３の側面から水が流れ込むことを阻止することができる。
【００２４】
なお、コネクタ用開口部が、継ぎ目５０より上下方向の下側に位置する場合は、電子回路基板６０は、継ぎ目５０より上下方向の上側に配置されてよい。すなわち、電子回路基板６０は、ケース１０およびカバー２０が組み合わされることで構成される閉塞空間において、水が浸入する可能性のあるコネクタ用開口部４０または継ぎ目５０の中で最も上側にあるものよりもさらに上側に配置される。これにより、シール材等を用いることなく、内部に収容される電子回路基板６０に水がかかりにくい簡便な構造を有する電子装置１００を提供することができる。
【００２５】
また、本実施例のように、コネクタ用開口部４０がケース１０とカバー２０が接触しない部分に設けられる、すなわち、ハウジング３０がケース１０とカバー２０の間に挟まれることで、容易に組み立てても電子回路基板６０に水がかかりにくい構造を実現できる。
【００２６】
＜第二実施例＞
図５乃至図７を参照し、本実施例にかかる電子装置１００Ａを説明する。なお、重複記載を避けるため、同じ構成要素には同じ符号を付し、上記実施例と異なる点を中心に述べる。電子装置１００Ａは、ケース１０（第１部品）と、カバー２０（第２部品）と、電子回路基板６０に設けられた接続端子６１を閉塞空間の外へ突出させるハウジング３０Ａと、ハウジング３０Ａを嵌合させるコネクタ用開口部４０と、を備える。
【００２７】
ハウジング３０Ａは、接続端子６１を内部に通す角筒状の筒状部３３Ａをする。筒状部３３Ａは、ケース１０およびカバー２０の外面に近接した部分において鍔３２Ａを有する。上記実施例の鍔３２は、筒状部３３の側面だけに形成されているが、本実施例の鍔３２Ａは、筒状部３３Ａの上面にも形成されている。なお、本実施例のハウジング３０Ａには、上記実施例にあった溝は形成されていない。
【００２８】
図８に示すように、電子装置１００Ａに水がかかった場合には、矢印が示すように水が流れる。ハウジング３０Ａは、コネクタ用開口部４０に筒状部３３Ａを嵌合させている。鍔３２Ａは、カバー２０の外面に接触するように近接した位置に形成され、鍔３２Ａの裏側は、カバー２０の外面に接触するように近接している。また、カバー２０の端部２２である上縁４１は、筒状部３３Ａの上面に接触するように近接している。電子回路基板６０は、コネクタ用開口部４０の上縁４１よりも上下方向の上側に配置される。
【００２９】
コネクタ用開口部４０の上縁４１は、ケース１０およびカバー２０が組み合わされる継ぎ目５０より上下方向の上側に位置しているので、水が浸入する最も上側の位置は、コネクタ用開口部４０の上縁４１である。電子回路基板６０は、この上縁４１よりもさらに上側に位置するように配置されている。したがって、図８の黒矢印に示すように水が上縁４１から侵入しても、侵入した水はそれより低い位置に向かって流れるので、電子回路基板６０が水に触れることはない。
【００３０】
このように、電子回路基板６０が、電子装置１００Ａの筐体の内部において、筐体の継ぎ目５０およびコネクタ用開口部４０の上縁４１の位置より高い位置に配置されて収容されることで、シール材等を用いることなく、内部に収容される電子回路基板６０に水がかかりにくい簡便な構造を有する電子装置１００Ａを提供することができる。
【００３１】
また、鍔３２Ａが、カバー２０の外側に配置されているので、白矢印のように勢いよく水が水平方向からかけられたとしても、コネクタ用開口部４０の上縁４１からその水が流れ込むことを阻止することができる。
【００３２】
＜第三実施例＞
図９を参照し、本実施例に係る電子装置１００Ｂを説明する。なお、重複記載を避けるため、同じ構成要素には同じ符号を付し、上記実施例と異なる点を中心に述べる。電子装置１００Ｂは、ケース１０とカバー２０とを備え、ケース１０とカバー２０が組み合わされることで筐体を形成すると共に内部に閉塞空間を構成し、この閉塞空間に電子回路基板６０を収容する。電子装置１００Ｂは、さらに、電子回路基板６０に設けられた接続端子６１を閉塞空間の外へ突出させるハウジング３０Ｂと、ハウジング３０Ｂを嵌合させるコネクタ用開口部４０とを備える。
【００３３】
ハウジング３０Ｂは、筒状部３３Ｂの外周を取り巻くように形成された２つの鍔３２Ｂを有し、その結果、その２つの鍔３２Ｂの間には溝３１Ｂが形成されている。この溝３１Ｂは、カバー２０の端部２２の上縁４１に適合し、端部２２が嵌るように形成されている。また、２つの鍔３２Ｂの内の外部側の鍔３２Ｂは、白矢印のようにかかる水を防御するための鍔３２Ｂとして機能する。また、カバー２０の端部２２が、２つの鍔３２Ｂの間に形成された溝３１Ｂに嵌ることで、黒矢印に示すように、水が閉塞空間内に侵入しないようにすることができる。また、溝３１Ｂの外側に鍔３２Ｂを有することで、散水を受けても水が筐体の内部に侵入しにくくなる。
【００３４】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００３５】
１００    電子装置
１０      ケース（第１部品）
１１      第１開口部
１２      端部
２０      カバー（第２部品）
２１      第２開口部
２２      端部
３０      ハウジング
３１      溝
３２      鍔
３３      筒状部
４０      コネクタ用開口部
４１      上縁
５０      継ぎ目
６０      電子回路基板
６１      接続端子
【図１】
2018152531.tif 000003
【図２】
2018152531.tif 000004
【図３】
2018152531.tif 000005
【図４】
2018152531.tif 000006
【図５】
2018152531.tif 000007
【図６】
2018152531.tif 000008
【図７】
2018152531.tif 000009
【図８】
2018152531.tif 000010
【図９】
2018152531.tif 000011